(57)【要約】【課題】ネットワーク上に存在する素材となる動画を、編集者が編集する上で、特別な動画編集ソフトの操作方法を習得することなく、簡単にネットワーク上で動画編集できるとともに、コンパクトなシステムを提供することを目的とする。【解決手段】素材となる動画データ自体を動画編集サーバに取り込むことなく、素材動画情報、挿入する音声・動画データ及び動画編集情報に対応した音声・動画データ情報のみを取り込むことによって、サーバの記憶領域を削減することができることを特徴とする。【選択図】  図１
2009021883.tif 000002
【特許請求の範囲】
【請求項１】
通信ネットワークを介して、編集者通信端末と、素材動画配信サーバと、動画編集サーバとが、相互に接続された環境下において、素材動画配信サーバから配信される、編集者が指定する素材動画データに対して、音声データを挿入できる動画編集システムであって、前記動画編集サーバは、前記編集者通信端末から送信された音声データを取り込む音声データ取り込み手段と、前記音声データ取り込み手段により取り込まれた、素材動画上に挿入される音声データを格納する音声データ格納手段と、前記編集者通信端末から送信された動画編集情報に対応した音声データ情報を格納する音声データ情報格納手段と、素材動画データ情報を格納する素材動画データ情報格納手段とを備えていることを特徴とする動画編集システム
【請求項２】
通信ネットワークを介して、編集者通信端末と、素材動画配信サーバと、動画編集サーバとが、相互に接続された環境下において、素材動画配信サーバから配信される、編集者が指定する素材動画データに対して、動画データを挿入できる動画編集システムであって、前記動画編集サーバは、前記編集者通信端末から送信された動画データを取り込む動画データ取り込み手段と、前記動画データ取り込み手段により取り込まれた、素材動画上に挿入される動画データを格納する動画データ格納手段と、前記編集者通信端末から送信された動画編集情報に対応した動画データ情報を格納する動画データ情報格納手段と、素材動画データ情報を格納する素材動画データ情報格納手段とを備えていることを特徴とする動画編集システム
【請求項３】
請求項１記載の動画編集システムにおいて、前記動画編集サーバは、素材動画の任意のタイムライン上に、任意の音量の音声データを挿入することができる音声処理手段を備えることを特徴とする動画編集システム
【請求項４】
請求項２記載の動画編集システムにおいて、前記動画編集サーバは、素材動画の任意のタイムライン上、及び素材動画中の画像フレーム上の任意の位置に、任意の形状の画像フレームからなる動画データを挿入することができる動画処理手段を備えることを特徴とする動画編集システム
【請求項５】
請求項１若しくは３いずれか記載の動画編集システムにおいて、前記動画編集サーバは、編集者が動画編集作業中に、リアルタイムで收音する音声データを取り込む音声データ取り込み手段を備えていることを特徴とする動画編集システム
【請求項６】
請求項２若しくは４いずれか記載の動画編集システムにおいて、前記動画編集サーバは、編集者が動画編集作業中に、リアルタイムで撮影する動画データを取り込む動画データ取り込み手段を備えていることを特徴とする動画編集システム
【請求項７】
請求項１〜６いずれか記載の動画編集システムにおいて、前記動画編集サーバは、前記編集者通信端末上に、前記素材動画データ情報に対応する、前記音声データ情報又は動画データ情報に従って、前記音声データ又は動画データを配信し、前記音声データ又は動画データが挿入された、編集後の前記素材動画を再生させる手段を備えていることを特徴とする動画編集システム
【請求項８】
請求項１〜６いずれか記載の動画編集システムにおいて、前記動画編集サーバは、前記通信ネットワークに接続された通信端末上に、前記素材動画データ情報に対応する、前記音声データ情報又は動画データ情報に従って、前記音声データ又は動画データを配信し、前記音声データ又は動画データが挿入された、編集後の前記素材動画を再生させる手段を、備えていることを特徴とする動画編集システム
【発明の詳細な説明】
【技術分野】
【０００１】
本発明は、通信ネットワークを介して、素材となる動画データに、音声又は動画を挿入することができるオンライン動画編集システムに関する。
【背景技術】
【０００２】
家庭用デジタルビデオカメラの普及、動画が撮影可能なデジタルカメラの普及及びパーソナルコンピュータの普及にともない、パーソナルコンピュータを使用した動画のノンリニア編集が行われることが多くなってきている。
このノンリニア編集において、特別の動画編集ソフトウエアをパーソナルコンピュータにインストールすることなく、ネットワーク上にて、動画編集をすることができるシステムが開示されている。
【特許文献１】特開２００２−３６９１３０号公報
【発明の開示】
【発明が解決しようとする課題】
【０００３】
現在、インターネット上において、動画の投稿サイトが増えてきており、デジタルカメラ等を用いて撮影された動画が数多く投稿され、コンピュータ端末等を利用し、インターネットに接続さえすれば、ウェブブラウザを通して、誰もが投稿された動画を鑑賞できる状況となってきている。
そのように投稿された動画を素材として、他の要素を加えたりすることにより、新たな作品を創作するという試みが行われはじめているが、特別な動画編集ソフトの操作方法を習得することなく、簡単にネットワーク上で動画編集できるシステムが望まれている。
【０００４】
従来のネットワーク上の動画編集システムにおいては、このような場合、素材となる動画（以下、「素材動画データ」という。）を取り込み、その記憶領域を設ける必要があった。
しかし、素材動画データがストリーミング配信されているような場合、素材動画データをダウンロードすることは困難である。また、素材動画データをトリミング等せずに、そのまま全体を活かして使用する場合には、素材動画データ自体を取り込むことなく、そのＵＲＬ等の情報のみを取得するに留めれば、システムのサーバの記憶領域を削減することができるという利点がある。
【０００５】
そこで、本発明は、動画編集システムのサーバの記憶領域には、素材動画データ情報、挿入する音声データ又は動画データ、動画編集情報に対応する音声データ情報又は動画データ情報を格納し、素材動画データ自体は、素材動画配信サーバに格納されているものをそのまま利用するオンライン動画編集システムを提供することを目的とする。
【課題を解決するための手段】
【０００６】
請求項１記載の動画編集システムは、通信ネットワークを介して、編集者通信端末と、素材動画配信サーバと、動画編集サーバとが、相互に接続された環境下において、素材動画配信サーバから配信される、編集者が指定する素材動画データに対して、音声データを挿入できる動画編集システムであって、前記動画編集サーバは、前記編集者通信端末から送信された音声データを取り込む音声データ取り込み手段と、前記音声データ取り込み手段により取り込まれた、素材動画上に挿入される音声データを格納する音声データ格納手段と、前記編集者通信端末から送信された動画編集情報に対応した音声データ情報を格納する音声データ情報格納手段と、素材動画データ情報を格納する素材動画データ情報格納手段とを備えていることを特徴とする。
【０００７】
前記の発明によれば、素材となる動画に音声を挿入する動画編集を行うことができる動画編集システムを提供することができる。
【０００８】
請求項２記載の動画編集システムは、通信ネットワークを介して、編集者通信端末と、素材動画配信サーバと、動画編集サーバとが、相互に接続された環境下において、素材動画配信サーバから配信される、編集者が指定する素材動画データに対して、動画データを挿入できる動画編集システムであって、前記動画編集サーバは、前記編集者通信端末から送信された動画データを取り込む動画データ取り込み手段と、前記動画データ取り込み手段により取り込まれた、素材動画上に挿入される動画データを格納する動画データ格納手段と、前記編集者通信端末から送信された動画編集情報に対応した動画データ情報を格納する動画データ情報格納手段と、素材動画データ情報を格納する素材動画データ情報格納手段とを
備えていることを特徴とする。
【０００９】
前記の発明によれば、素材となる動画に動画を挿入する動画編集を行うことができる動画編集システムを提供することができる。
【００１０】
請求項３記載の動画編集システムは、請求項１記載の動画編集システムにおいて、前記動画編集サーバは、素材動画の任意のタイムライン上に、任意の音量の音声データを挿入することができる音声処理手段を備えることを特徴とする。
【００１１】
前記の発明によれば、請求項１記載の動画編集システムにおいて、素材となる動画の任意の時間帯に、任意の音量となる音声を挿入する動画編集を行うことができる動画編集システムを提供することができる。
【００１２】
請求項４記載の動画編集システムは、請求項２記載の動画編集システムにおいて、前記動画編集サーバは、素材動画の任意のタイムライン上、及び素材動画中の画像フレーム上の任意の位置に、任意の形状の画像フレームからなる動画データを挿入することができる動画処理手段を備えることを特徴とする。
【００１３】
前記の発明によれば、請求項２記載の動画編集システムにおいて、素材となる動画の任意の時間帯、任意の位置に、任意の形状の画像フレームからなる動画を挿入する動画編集を行うことができる動画編集システムを提供することができる。
【００１４】
請求項５記載の動画編集システムは、請求項１若しくは３いずれか記載の動画編集システムにおいて、前記動画編集サーバは、編集者が動画編集作業中に、リアルタイムで收音する音声データを取り込む音声データ取り込み手段を、備えていることを特徴とする。
【００１５】
前記の発明によれば、請求項１若しくは３いずれか記載の動画編集システムにおいて、あらかじめ用意してある音声データだけではなく、編集者が動画編集作業中に、リアルタイムで集音する音声を、素材となる動画に挿入することができる動画編集を行うことができる動画編集システムを提供することができる。
【００１６】
請求項６記載の動画編集システムは、請求項２若しくは４いずれか記載の動画編集システムにおいて、前記動画編集サーバは、編集者が動画編集作業中に、リアルタイムで撮影する動画データを取り込む動画データ取り込み手段を、備えていることを特徴とする。
【００１７】
前記の発明によれば、請求項２若しくは４いずれか記載の動画編集システムにおいて、あらかじめ用意してある動画データだけではなく、編集者が動画編集作業中に、リアルタイムで撮影する動画を、素材となる動画に挿入することができる動画編集を行うことができる動画編集システムを提供することができる。
【００１８】
請求項７記載の動画編集システムは、請求項１〜６いずれか記載の動画編集システムにおいて、前記動画編集サーバは、前記編集者通信端末上に、前記素材動画データ情報に対応する、前記音声データ情報又は動画データ情報に従って、前記音声データ又は動画データを配信し、前記音声データ又は動画データが挿入された、編集後の前記素材動画を再生させる手段を、備えていることを特徴とする。
【００１９】
前記の発明によれば、請求項１〜６いずれか記載の動画編集システムにおいて、素材動画データが素材動画配信サーバから配信され、音声データ又は動画データが動画編集サーバから配信され、編集者の通信端末上に、編集後の動画を再生させることができることとなる。
【００２０】
請求項８記載の動画編集システムは、  請求項１〜６いずれか記載の動画編集システムにおいて、前記動画編集サーバは、前記通信ネットワークに接続された通信端末上に、前記素材動画データ情報に対応する、前記音声データ情報又は動画データ情報に従って、前記音声データ又は動画データを配信し、前記音声データ又は動画データが挿入された、編集後の前記素材動画を再生させる手段を、備えていることを特徴とする。
【００２１】
前記の発明によれば、請求項１〜６いずれか記載の動画編集システムにおいて、素材動画データが素材動画配信サーバから配信され、音声データ又は動画データが動画編集サーバから配信され、編集者の通信端末上だけでなく、ネットワークに接続されている他の通信端末上にも、編集後の動画を再生させることができることとなる。
【発明の効果】
【００２２】
本発明によれば、動画を編集する者は、パーソナルコンピュータに動画編集ソフトウェアをインストールすることなく、ネットワーク上で動画編集を行うことができ、素材となる動画データ自体は、動画編集サーバの記憶領域に格納しないため、よりコンパクトなサーバにて運用ができる等の優れた効果を得ることができる。
【発明を実施するための最良の形態】
【００２３】
以下、図面を参照しつつ、本発明の実施の形態について説明する。なお、本実施の形態については、通信ネットワークとしてインターネットを利用し、編集者通信端末としてコンピュータ端末を利用した場合について説明する。
【００２４】
なお、本実施の形態の説明としては、通信ネットワークとしてインターネットを利用しているが、これは例示であって、イントラネット等の他の通信ネットワーク環境下においても実施可能である。
【００２５】
また、同様に、編集者通信端末としてコンピュータ端末を利用しているが、通信ネットワークに接続して情報のやりとりが可能であり、動画表示が可能であるものならば、携帯電話端末他のどのような端末であってもよい。
【００２６】
本発明の実施の形態に係る動画編集システムの構成について説明をする。図１は、全体構成を示す機能ブロック図である。
【００２７】
本発明の実施の形態に係る動画編集システムは、動画を編集するプログラム、音声・動画データ等を格納する動画編集サーバ１０と、素材動画データを配信する素材動画配信サーバ２０と、コンピューター端末から構成される編集者通信端末２とが、インターネット１を介して、相互に接続された環境下において、動画編集サーバ１０が、動画編集サーバ１０及び素材動画配信サーバ２０と編集者通信端末２との接続を制御することができるように構成されている。
【００２８】
動画編集サーバ１０及び素材動画配信サーバ２０は、経路制御装置、電話回線、ＬＡＮ（ローカル・エリア・ネットワーク）等を経由してインターネット１に接続されている。
【００２９】
制御手段１１は、ＣＰＵ等から構成され、各部の制御や、データの転送、種々の演算、データの一時的な格納等を行う。入力制御手段１２は、インターネット１を介して接続された編集者通信端末２から入力されるデータを制御する。出力制御手段１３は、編集者通信端末２に出力されるデータを制御する。符号１４〜１６は、それぞれ以下のファイルが格納されているデータベースとなっている。
【００３０】
データベース１４には、素材動画配信サーバ２０より配信される素材動画データ自体ではなく、素材動画データの格納先のＵＲＬ、時間情報のデータが格納され、データベース１５には、素材動画データに挿入する音声・動画データが格納され、データベース１６には、動画編集内容に対応する、挿入する音声・動画データの素材動画データに対する属性情報が格納される。
【００３１】
プログラム１７は、動画編集サーバ１０と編集者通信端末２との接続を制御するプログラム、編集者による動画編集内容を音声データ情報・動画データ情報に変換するプログラム、データベース１５に格納される音声データ・動画データを、データベース１４に格納される情報に従って、素材動画配信サーバから配信される素材動画データに重ねて、編集者通信端末２の画面上に再生させるプログラム等が記憶されており、制御手段１１において用いられる。
【００３２】
次に、図２を参照しつつ、編集者が素材動画を編集する手順について説明する。ここで、図２は本実施例の動画編集手順を示すフローチャートである。
【００３３】
編集者通信端末２から、インターネット１を介して、動画編集サーバ１０にアクセスし、編集したい素材動画データを指定する（ステップ１０１）。ここで、指定方法としては、素材動画データ格納先のＵＲＬを直接入力・送信する方法の他に、素材動画データ指定画面上に表示される、特定の動画配信サーバに格納されている素材動画データ一覧から選択する方法もとることができる。
そして、素材動画データ情報を動画配信サーバ１０が取得する（ステップ１０２）。ここで、素材動画データ情報には、素材動画データ自体は含まれず、素材動画データが格納されているＵＲＬデータ情報、及び素材動画データの時間情報（収録時間）となる。
【００３４】
次に、動画編集サーバ１０が、素材動画データ情報を取得すると、編集者通信端末２には素材動画データ編集画面が表示される（ステップ１０３）。ここで、編集者通信端末２の画面上には、ブラウザを通して、素材動画データ情報に対応した、素材動画配信サーバ２０から配信される素材動画が表示され、その素材動画中に音声・動画を挿入する編集を行うこととなる。
編集者が、挿入する音声データ・動画データ及び動画編集内容を編集者通信端末２に入力し、当該データが動画編集サーバ１０に送信されると（ステップ１０４）、動画編集サーバ１０が、当該音声データ・動画データ及び動画編集情報を取得する。ここで、動画編集内容はプログラム１７により音声データ情報・動画データ情報に変換される。音声データ情報・動画データ情報には、音声・動画が挿入される素材動画のタイムライン上の位置情報等が含まれる。
動画編集サーバ１０には、音声データ・動画データが挿入され、編集後の書き換えられた動画データ自体が送信されるわけではなく、挿入される音声データ・動画データ及び動画編集内容が送信され、動画編集内容がプログラム１７により、挿入される素材動画のタイムライン上の位置情報・音声データの音量情報・動画データが挿入される素材動画の画面位置情報等の動画編集内容に対応する情報である音声データ情報・動画データ情報に変換され、データベース１４〜１６に格納されるのみである。
【００３５】
編集者が、編集後の素材動画を確認する場合には、編集者通信端末２の画面上に、素材動画データ情報に対応した素材動画配信サーバ２０から配信される素材動画データが表示される。この素材動画上に、音声データ情報・動画データ情報に従った、音声データ・動画データが動画編集サーバ１０から配信され、素材動画に重ねられて、再生されることとなる（ステップ１０５）。
【００３６】
次に、図３を参照しつつ、音声データの挿入について説明する。
ここで、図３は本実施例の音声データの挿入イメージ図である。
【００３７】
図３に示す例では、素材動画データが、大きくシーン１〜４から構成されており、シーン３に音声を挿入したい場合、素材動画データのタイムライン０２：３０から０４：００の位置を指定し、挿入したい音声データを入力する。
そして、タイムライン０２：３０から０４：００内での任意の位置での音量を自由に指定できるため、タイムラインに沿った時間による音量の変化を設定できることができる。
この例においては、素材動画データ情報、編集者通信端末２に入力された音声データ、音声データが挿入される素材動画データのタイムライン０２：３０から０４：００の位置情報・タイムライン０２：３０から０４：００内での音量の変化情報からなる音声データ情報が、データベース１４〜１６に格納される。
【００３８】
次に、図４〜６を参照しつつ、動画データの挿入について説明する。ここで、図４〜５は動画データ挿入後の編集された動画の画像フレームイメージ図、図６は本実施例の動画データの挿入イメージ図、である。
【００３９】
挿入する動画の画像フレームのサイズについては、素材動画の画像フレームのサイズと同一、若しくはそれより小さいサイズで任意に設定できる。
また、挿入する動画の画像フレームが、素材動画の画像フレームより小さければ、素材動画の画像フレーム内のどの位置に挿入するかも任意に設定することができるため、素材動画のタイムライン上での挿入する動画の画像フレームの位置・サイズを自由に設定できることとなり、タイムラインに沿った時間による位置・サイズの変化を設定できることができる。
図４に示す挿入する動画の画像フレームを、時間の経過にあわせて、図５に示すように、滑らかにそのサイズを大きくしていくことも可能である。
【００４０】
図６に示す例では、素材動画データが、大きくシーン１〜４から構成されており、シーン３以降に動画を挿入したい場合、素材動画データのタイムライン０２：３０以降の位置を指定し、挿入したい動画データを入力する。
そして、挿入する動画データの画像フレームの形状を任意に設定することができるため、人の顔の形状とすることにより、素材動画データ内の人物の顔の部分のみを入れ代えるといったことが可能となる。この例では、シーン３以降、体はそのままで、顔のみが入れ代わる動画が作成される。
この例においては、素材動画データ情報、編集者通信端末２に入力された動画データ、動画データが挿入される素材動画データのタイムライン０２：３０以降の位置情報・動画データの画像フレームの形状情報からなる動画データ情報が、データベース１４〜１６に格納される。
【００４１】
次に、挿入する音声データ及び動画データについては、すでに音声・動画データとして用意してあるものを編集者通信端末２に入力し、動画編集サーバ１０に送信する以外にも、編集者が動画編集作業中に、リアルタイムで收音する音声・撮影する動画についても、対応することができる。
【００４２】
音声であれば、マイクロフォン・電子楽器・ＣＤプレーヤ等を編集者通信端末２に接続し、これらから出力される音声が、編集者通信端末２にてデジタルデータに変換され、動画編集サーバ１０に送信される。
図３に示す例では、シーン３にリアルタイムで音声を挿入したい場合、素材動画データを再生し、タイムライン０２：３０から０４：００の位置で、マイクロフォン等を用いて、音声を收音することによって、音声データが送信され、データベース１５に格納される。
もちろん、リアルタイムで收音後に、再編集することも可能である。
【００４３】
動画であれば、ビデオカメラ・デジタルカメラ・ウェブカメラ等を編集者通信端末２に接続し、これらから出力される動画データが、動画編集サーバ１０に送信される。なお、リアルタイムで、音声・動画の双方のデータを処理することも可能である。
図６に示す例では、シーン３以降にリアルタイムで動画を挿入したい場合、素材動画データを再生し、タイムライン０２：３０の時点で、ビデオカメラ等を用いて動画を撮影することによって、撮影されている動画動画データが送信され、データベース１５に格納される。もちろん、リアルタイムでの撮影後に、再編集することも可能である。
【００４４】
前記の通り、編集者が、編集後の素材動画を再生する場合には、編集者通信端末２の画面上に、素材動画データ情報に対応した素材動画配信サーバ２０から配信される素材動画データが表示される。この素材動画上に、音声データ情報・動画データ情報に従った、音声データ・動画データが動画編集サーバ１０から配信され、素材動画に重ねられて、再生されることとなるが（ステップ１０５）、編集者通信端末２以外であっても、インターネット１に接続されている動画再生可能な通信端末を用いれば、編集後の素材動画を再生することが可能となる。
【図面の簡単な説明】
【００４５】
【図１】本発明の実施の形態に係る動画編集システムの概要構成を示す機能ブロック図である。
【図２】本発明の実施の形態に係る動画編集システムにおける動画編集をする手順を示すフローチャートである。
【図３】本発明の実施の形態に係る動画編集システムにおける音声データの挿入イメージ図である。
【図４】本発明の実施の形態に係る動画編集システムにおける動画データ挿入後の編集された動画の画像フレームイメージ図である。
【図５】本発明の実施の形態に係る動画編集システムにおける動画データ挿入後の編集された動画の画像フレームイメージ図である。
【図６】本発明の実施の形態に係る動画編集システムにおける動画データの挿入イメージ図である。
【符号の説明】
【００４６】
１              インターネット
２              編集者通信端末
１０            動画編集サーバ
１１            制御手段
１２            入力制御手段
１３            出力制御手段
１４            素材動画情報データベース
１５            音声・動画データ  データベース
１６            音声・動画データ情報データベース
１７            プログラム
２０            素材動画配信サーバ
【図１】
2009021883.tif 000003
【図２】
2009021883.tif 000004
【図３】
2009021883.tif 000005
【図４】
2009021883.tif 000006
【図５】
2009021883.tif 000007
【図６】
2009021883.tif 000008